(57)【要約】【課題】ＩＰ網にて音声通信を行う技術を持つＶｏＩＰアダプタ装置において、不在時や外出時に着信を受けた場合、着信が有った事を当該アダプタ装置の利用者に通知する。【解決手段】ＩＰ網及びＰＳＴＮに接続されたＶｏＩＰアダプタ装置は、前記アダプタ装置とは別にＩＰ網に接続されたＶｏＩＰ端末やアナログ電話機から呼を受けた場合、呼に含まれる発信者情報を取得し、着信者が呼に応答しなかった場合は、当該呼の発信者情報を、あらかじめ前記ＶｏＩＰアダプタ装置に登録されている通知先にＩＰ網や携帯電話網を経由して送信することで、着信が有った事を当該ＶｏＩＰアダプタ装置の利用者に通知する。【選択図】図１
2004040541.tif 000002
【特許請求の範囲】
【請求項１】
登録者別の通知先を設定した登録者情報管理テーブルと、呼情報から発信者情を取得する発信者情報報取得部とをそなえ、前記取得された発信者が前記登録者情報管理テーブルの登録者に一致した場合、前記登録者情報管理テーブルの送信先に前記発信者情報を送信することを特徴とするＶｏＩＰアダプタ装置。
【請求項２】
ＩＰ網に接続されたＶｏＩＰ端末よりＶｏＩＰアダプタ装置に対して着信が有った場合、前記ＶｏＩＰ端末の着呼に含まれる発信者情報を取得するステップと、着信者が呼に応答しなかった場合は、当該呼の発信者情報をあらかじめ前記ＶｏＩＰアダプタ装置に登録されている通知先にＩＰ網を経由して送信するステップとを備え、着信が有ったこと着信者に通知することを特徴とするＶｏＩＰアダプタ装置における着信通知方法。
【請求項３】
請求項２に記載のＶｏＩＰアダプタ装置における着信通知方法において、前記ＩＰ網および公衆電話交換網に接続された前記ＶｏＩＰアダプタ装置に対して、ＰＳＴＮに接続された電話機より着信が有った場合、前記電話機の着呼に含まれる発信者情報を取得するステップと、着信者が呼に応答しなかった場合は、当該呼の発信者情報をあらかじめ前記ＶｏＩＰアダプタ装置に登録されている通知先にＩＰ網を経由して送信するステップとを備え、着信が有ったことを着信者に通知することを特徴とするＶｏＩＰアダプタ装置における着信通知方法。
【請求項４】
請求項２または３に記載のＶｏＩＰアダプタ装置における着信通知方法において、前記発信者情報は電子メールにて送信されることを特徴とするＶｏＩＰアダプタ装置における着信通知方法。
【発明の詳細な説明】
【０００１】
【発明の属する技術分野】
本発明はＩＰ網に接続されたＶｏＩＰ（Ｖｏｉｃｅ　ｏｖｅｒ　ＩＰ）アダプタ装置に係り、特に、発呼者情報を端末に登録された通知先に通知する技術に関する。
【０００２】
【従来の技術】
近年はＩＰ網において音声通信を行うＶｏＩＰ技術が従来の電話に変わる技術として実用化されつつある。ＶｏＩＰ端末装置は、音声信号をデジタル信号に変換し、ＩＰパケット化してＩＰ網に送信し、当該ＩＰパケットを受信し、デジタル信号をアナログ信号に変換を行う装置である。
また、ＶｏＩＰアダプタ装置は、従来のアナログ電話機に接続することにより、アナログ電話機をＶｏＩＰ端末として動作させることができる装置である。
【０００３】
【発明が解決しようとする課題】
従来のＶｏＩＰアダプタ装置はアナログ電話機をＶｏＩＰ端末として動作させる為の機能しか具備していない。従って、ＶｏＩＰアダプタ装置において、不在時の着信を設定にしたがって能動的に着信者に通知する方法は提供されていなかった。
【０００４】
本発明の目的はＶｏＩＰアダプタ装置に対して、送信先や送信不要を設定することによって、着信を効率的に処理する技術を提供することにある。
【０００５】
【課題を解決するための手段】
本発明の目的を達成するために、ＶｏＩＰアダプタ装置に対して発信者情報を取得する機能と、登録者別の通知先を設定した登録者情報管理テーブルを設ける。
また、登録者情報管理テーブルに発信者情報と一致する登録者がいる場合には、発信者情報を、ＩＰ網を経由して、その通知先に通知する機能を追加する。
これにより、ＶｏＩＰアダプタ装置に対する不在時の着信を、効率良く通知することができる。
【０００６】
【発明の実施の形態】
以下、本発明の実施の形態について、実施例を用い、図を参照して説明する。図１は本発明にかかる通信システムの一実施例を示す構成図である。図において、第１のアナログ電話機１０２はＶｏＩＰアダプタ装置１０１に接続され、ＶｏＩＰアダプタ装置１０１はＩＰ網１０３およびＰＳＴＮ（公衆電話交換網）１０４に接続されている。第２のアナログ電話１０５はＰＳＴＮ１０４に接続されている。また、ＶｏＩＰ端末１０６はＩＰ網１０３に接続されている。電子メールサーバ１０７および本発明の利用者が操作する電子メールの送受信の機能を持つＰＣ１０８はＩＰ網１０３に接続されており、携帯電話網１０９はＩＰ網１０３およびＰＳＴＮ１０４に接続されている。本発明の利用者が持つ電子メールの送受信の機能を持つ携帯電話１１０は携帯電話網１０９に接続されている。また、携帯電話網１０９はＰＳＴＮ１０４及びＩＰ網１０３に接続されている。
【０００７】
図２は本発明によるＶｏＩＰアダプタ装置の一実施例を示すブロック図である。図２において、ＶｏＩＰアダプタ装置１０１は、アナログ電話機を接続する回線インタフェース（ＩＦ）部２０１、ＩＰ網に接続するＩＰ網インタフェース（ＩＦ）部２０２、およびＰＳＴＮに接続するＰＳＴＮインタフェース（ＩＦ）部２０３の各インタフェース部、ＶｏＩＰにおける通信を制御するＶｏＩＰ通信制御部２０４およびＰＳＴＮにおける通信を制御する回線制御部２０５の各通信制御部、アナログ音声信号とデジタル音声信号の相互変換を行う音声信号変換部２０６、ＶｏＩＰ通信制御部２０４あるいは回線制御部２０５より発信者情報を取得する発信者情報取得部２０７、あらかじめ登録されている通知先にＩＰ網１０３を経由して発信者情報を送信する発信者情報送信部２０８、および発信者情報を管理する情報管理テーブル２０９より構成される。
【０００８】
図３はＶｏＩＰアダプタ装置の情報管理テーブルで管理されている登録者情報の一実施例を示すテーブルである。図に示すように、登録者情報テーブル３０１には、発信者ＩＤや電話番号、発信者の名前、発信者別の通知先が記載されている。通知先は着信者が予め設定するもので、例えば、発信者が会社の人の場合には、会社にあるパソコンを通知先にする。また、友人の場合には、自分の携帯電話を通知先にしても良い。また、迷惑メールのように、着信したくない発信者からの発信に対しては、非通知にするように設定する。
ＶｏＩＰ端末１０６よりＶｏＩＰアダプタ装置１０１に通話要求が有った場合、ＶｏＩＰアダプタ装置１０１において、当該呼情報は、ＩＰ網ＩＦ部２０２より入力され、ＶｏＩＰ通信制御部２０４にて解析される。ＶｏＩＰ通信制御部２０４で抽出された発信者情報は発信者情報取得部２０７で取得され、情報管理テーブル２０９にて管理されている登録者情報テーブル３０１との照会を行い、該当する登録者情報がある場合には、当該発信者情報に対応する登録者情報の名前などのわかりやすい情報に置換する。
【０００９】
本発明の利用者が不在等の理由により通話を受けることができない場合、発信者情報取得部２０７にて照会された発信者情報は、発信者情報送信部２０８にて当該発信者情報に対応する通知先（含む非通知）を情報管理テーブル２０９にて管理されている登録者情報テーブル３０１より取得し、当該発信者情報の通知先の指定がある場合、あらかじめ指定した電子メール等のフォーマットデータに変換され、ＩＰ網ＩＦ部２０２およびＩＰ網１０３を介して、メールサーバ１０７等の通知先に送信される。メールサーバ１０７に到達した発信者情報を含む電子メールは、本発明の利用者（着信者）が操作する電子メールの送受信の機能を持つＰＣ１０８、もしくは本発明の利用者（着信者）が契約している携帯電話通信事業者の電子メールサービスにより、携帯電話網１０９を介して本発明の利用者が持つ携帯電話１１０で受信される。また、通知先が非通知の場合には、発信者情報は送信されない。
【００１０】
第２のアナログ電話機１０５よりＶｏＩＰアダプタ装置１０１に通話要求が有った場合、ＶｏＩＰアダプタ装置１０１において、当該呼情報は、ＰＳＴＮＩＦ部２０３より回線制御部２０５にて解析され、回線制御部２０５で抽出された発信者情報は発信者情報取得部２０７で取得され、情報管理テーブル２０９にて管理されている登録者情報テーブル３０１との照会が行なわれる。該当する登録者情報がある場合には、当該発信者情報に対応する登録者情報の名前などのわかりやすい情報に置換する。本発明の利用者（着信者）が不在等の理由により通話を受けることができない場合、発信者情報取得部２０７にて照会された発信者情報は、発信者情報送信部２０８にて当該発信者情報に対応する通知先を情報管理テーブル２０９にて管理されている登録者情報テーブル３０１より取得する。当該発信者情報の通知先の指定がある場合、あらかじめ指定した電子メール等のフォーマットデータに変換され、ＩＰ網ＩＦ部２０２およびＩＰ網１０３を介して、メールサーバ１０７等の通知先に送信される。メールサーバ１０７に到達した発信者情報を含む電子メールは、本発明の利用者が操作する電子メールの送受信の機能を持つＰＣ１０８、もしくは本発明の利用者が契約している携帯電話通信事業者の電子メールサービスにより、携帯電話網１０９を介して本発明の利用者が持つ携帯電話１１０で受信される。
【００１１】
図４は本発明によるＶｏＩＰアダプタ装置の着信処理動作の一実施例を示すフローチャートである。なお、このフローチャートはＶｏＩＰ端末１０６あるいは第２のアナログ電話機１０５からＶｏＩＰアダプタ装置１０１への通話要求を検出した所から開始される。
ステップ４０１では、ＶｏＩＰ制御部２０４または回線制御部２０５にて呼情報を解析し、発信者情報取得部２０７にて通話要求元からの呼情報より発信者情報を取得する。ステップ４０２では、発信者情報取得部２０７にて取得した発信者情報と登録者情報テーブル３０１を照会する。ステップ４０３では、取得した発信者情報に該当する登録者情報があるかを判断し、ある場合はステップ４０４に進み、ない場合はステップ４０５に進む。
【００１２】
ステップ４０４では、発信者情報取得部にて取得した発信者情報に対応する登録者情報の名前などのわかりやすい情報を新たな発信者情報として置換する。ステップ４０５では、ＶｏＩＰアダプタ装置１０１の利用者が通話要求に応答したかを判断し、応答した場合はステップ４０６に進み、応答しない場合はステップ４０７に進む。
ステップ４０６で、ＶｏＩＰアダプタ装置１０１の利用者が通話要求に応答した場合や、当該発信者情報に対しては非通知設定である場合等の理由により発信者情報を通知しなくても良い場合は、発信者情報取得部２０７にて取得した発信者情報を送信しないまま終了する。
【００１３】
ステップ４０７では、通話要求が終了したかを判断し、終了した場合はステップ４０８に進み、終了しない場合はステップ４０５に戻る。ステップ４０８では、発信者情報送信部２０８にて当該発信者情報に対応する通知先を照会する。ステップ４０９では、通知先の指定があるかを判断し、ある場合はステップ４１０に進み、ない場合はステップ４０６に進む。
ステップ４１０では、照会した発信者情報をあらかじめ指定した電子メール等のフォーマットデータに変換する。ステップ４１１では、発信者情報を含むフォーマットデータを照会したメールサーバ等の通知先に送信する。
【００１４】
以上述べたように、本発明においては、ＩＰ網にて音声通信を行う技術を持つＶｏＩＰアダプタ装置に情報管理テーブルを準備し、発信者情報取得部で取得した発信者と照合することによって、通知先または非通知を得ている。従って、不在時や外出時に着信を受けた場合、着信が有ったことをメールサーバまたは携帯電話などで着信者に通知することができる。
【００１５】
【発明の効果】
以上述べたように、本発明においては、不在時や外出時に着信を受けた場合、着信が有った事を着信者に通知することができる。
【図面の簡単な説明】
【図１】本発明にかかる通信システムの一実施例を示す構成図である。
【図２】本発明によるＶｏＩＰアダプタ装置の一実施例を示すブロック図である。
【図３】ＶｏＩＰアダプタ装置の情報管理テーブルで管理されている登録者情報の一実施例を示すテーブルである。
【図４】本発明によるＶｏＩＰアダプタ装置の着信処理動作の一実施例を示すフローチャートである。
【符号の説明】
１０１…ＶｏＩＰアダプタ装置、１０２…第１アナログ電話機、１０３…ＩＰ網、１０４…公衆電話回線網（ＰＳＴＮ）、１０５…第２アナログ電話機、１０６…ＶｏＩＰ端末、１０７…メールサーバ、１０８…メール送受信機能を持つＰＣ、１０９…携帯電話網、１１０…メール送受信機能を持つ携帯電話、２０１…回線インタフェース部、２０２…ＩＰ網インタフェース部、２０３…ＰＳＴＮインタフェース部、２０４…ＶｏＩＰ通信制御部、２０５…回線制御部、２０６…音声信号変換部、２０７…発信者情報取得部、２０８…発信者情報送信部、２０９…情報管理テーブル、３０１…登録者情報テーブル。
【図１】
2004040541.tif 000003
【図２】
2004040541.tif 000004
【図３】
2004040541.tif 000005
【図４】
2004040541.tif 000006